(57)【要約】【課題】  洗濯機に洗濯物と共に適宜数を混入し洗濯することで、洗濯物相互を容易に解離させて乾燥作業を能率良くなすことの可能な洗濯物の解離具の提供。【解決手段】  疎水性と表面滑性及び反揆弾性を保持し、その比重が１．０以上の合成樹脂フィルム材からなり、且その厚さが５０乃至１５０μｍで幅が４０乃至８０ｍｍ及び長さが４０乃至８０ｃｍで、而もその両端縁が孤形状に切断された構造の洗濯物の解離具。【選択図】図１
0003156627.tif 000002
【実用新案登録請求の範囲】
【請求項１】
疎水性と表面滑性並びに反揆弾性を有し、且その比重が１．０以上の合成樹脂フィルム材からなり、その厚さが５０乃至１５０μｍで幅が４０乃至８０ｍｍ及び長さが４０乃至８０ｃｍで、而もその両端縁が孤形状に切断された構造からなる洗濯物の解離具。
【請求項２】
合成樹脂フィルム材の全面に、その孔径が４乃至８ｍｍの通水孔が全体面積の２５乃至７５％割合で均等に穿孔形成されてなる、請求項１記載の洗濯物の解離具。
【請求項３】
所要の寸法形状に切断形成された合成樹脂フィルム材の二枚を、その一側端縁相互を適宜交叉角を以って融着させてなる、請求項１若しくは請求項２記載の洗濯物の解離具。
【請求項４】
所要の寸法形状に切断形成された合成樹脂フィルム材の二枚を、その相互をそれぞれ中央部位で直交させ融着させてなる、請求項１若しくは請求項２記載の洗濯物の解離具。
【請求項５】
所要の寸法形状に切断形成された合成樹脂フィルム材の二枚を、その相互の一側端縁を直線状に接合させ融着させてなる、請求項１若しくは請求項２記載の洗濯物の解離具。
【考案の詳細な説明】
【技術分野】
【０００１】  本考案は、多様な素材に加えて寸法や形状或いは性能の異なる衣類等の洗濯物が混交されて洗濯機により洗濯される場合に、洗濯物相互の絡合を防止し容易に解離して乾燥作業がなしえる洗濯機の解離具に関する。
【背景技術】
【０００２】  今日の我が国では生活水準の著しい向上に伴って清潔感や衛生感への志向も富みに高まっており、シャツ類を初め下着類や靴下類、ハンカチ等においては略毎日に亘って洗濯による清浄化を図らぬと、僅かな臭気の拡散や汚れの状態での連続着用等には著しい嫌悪感と疎外感を誘発し、とりわけ組織社会においては業務遂行の支障ばかりか人間関係の崩壊すら惹起される結果ともなる。【０００３】  ところで洗濯は、多家族においては家庭用洗濯機による場合では略毎日に亘って２乃至３回もなされるとともに、かかる洗濯に際しての洗濯物は、吸水による多重化と且素材、寸法形状及び性能等の相違とも相俟って複雑強固に絡合しており、これを解離のうえ乾燥作業を施さねばならず、この洗濯物の解離と乾燥のための作業には多大な労力と時間が強いられている。
加えて単身者世帯や独身世帯においては、下着類や靴下、シャツ等を多量に貯め込んで洗濯する傾向にあることから、洗濯物相互の絡合の解離と乾燥作業には至難さを極めている。【０００４】  然るに今日に至るまで、かかる洗濯機による洗濯物の解離を解決すべき手段や製品等については何等の開発もなされておらず、且実用使用に供されている解決手段や製品等も発見されていない。
そこで考案者はかかる経緯に鑑み数多に亘る実験研究を重ねた結果、疎水性素材で表面滑性と洗濯物と混交され洗濯されるとともに、反揆弾性により絡合されても自己解離性が創出されて、洗濯物相互が容易に解離されることを究明し本考案に至った。
【考案の開示】
【考案が解決しようとする課題】
【０００５】  本考案は洗濯機による洗濯に際して、洗濯物に適宜数本を混入し洗濯することにより、洗濯物相互を容易に解離させて、洗濯並びに乾燥作業の能率を著しく高めることの可能な洗濯物の解離具を提供することにある。
【課題を解決するための手段】
【０００６】  上述の課題を解決するために本考案が用いた技術的手段は、疎水性合成樹脂素材でその比重が少なくとも１．０以上で且洗濯物と混交されて洗濯が可能で、而も洗濯物に対する表面滑性と、反揆弾性により絡合されても洗濯物と自己解離性が創出されるようポリエステル、ポリアミド、ポリカーボネート、ポリビニルクロライド、ポリウレタン或いはポリスチレン合成樹脂素材フィルムからなり、その厚さが５０乃至１５０μｍで幅が４０乃至８０ｍｍ、長さ４０乃至８０ｃｍで且その両端縁が柔軟な洗濯物に突刺し或いは絡着せぬよう孤形状に切断された構造からなる洗濯物の解離具に存するものである。【０００７】  更に本考案は透明若しくは無着色のものでも特段に制約されるものではないが、洗濯物を解離させ乾燥作業を簡便になすうえからは、洗濯物と混絡されてなる本考案解離具の混絡状態を容易に判別しえることが有利なため、適宜の色相に着色された構成が望まれる。
加えて本考案解離具は洗濯物との絡合を阻止させるうえから、その幅も４０乃至８０ｍｍと十分な広幅のものが使用されるが、洗剤が溶解された洗濯水と洗濯物全体に可能な限り接触させて洗浄性を高める必要上からは、適宜孔径の通水孔が全体面積の２５乃至７５％割合で穿孔形成された構成、及び略直線状の本考案解離具では、複雑多様に絡合する洗濯物に対応した多方向への混絡がなされにくく、これによる解離性の阻害を防止するうえから予め適宜交叉角を以って一体的に融着させた構成、若しくは直交させて一体的に融着させた構成若しくは相互端縁を融着させてなる倍長の構成に存する。
【考案の効果】
【０００８】  本考案は上述の如き構成からなるものであって使用する素材が疎水性で、その比重が少なくとも１．０以上で且表面滑性と反揆弾性を有する合成樹脂フィルムからなり、而もその厚さが５０乃至１５０μｍで幅が４０乃至８０ｍｍ及び長さが４０乃至８０ｃｍで、更にその両端縁が孤形状に切断された構造からなるため、素材や形状寸法及び性能の異なる多様の洗濯物は、洗剤の溶解された洗浄水により洗濯機内で回転反転されることにより、複雑多方向に流動せしめられ、而も洗濯物は吸水により一段と柔軟化され且洗濯物の表面接触抵抗も大きなため、容易に捩れや屈曲して絡合が促進されるものの、前記構成の解離具が混入されると疎水性で表面滑性が高く且反揆弾性を保持し、而もその厚さが５０乃至１５０μｍで幅も４０乃至８０ｍｍと広く且長さも４０乃至８０ｃｍで、更にその両端縁が孤形状に切断されてなるから、洗濯物が吸水柔軟化されて洗浄水の複雑多方向への流動に伴う捩れや屈曲をなしても、該解離具は洗濯物の大きな捩れに伴う絡合束内に挟入され若しくは絡合束外周面を緩やかに包被する状態に絡合される。【０００９】  従って洗濯後の大きな絡合束が極めて簡便に解離所謂バラケて洗濯物それぞれの分離がなされ、引続く乾燥作業も速やかになしえる。そして両端縁も孤形状に切断されてなるため洗濯物を引っ掛けたり損傷させる危険も無くなる。
加えて洗濯物が多量に亘る場合には、該解離具の大型の物若しくは２乃至３個を混入使用する以外に、解離具相互を適宜交叉角を以って融着させ、若しくは解離具相互を直交させて融着させ、或いは解離具相互の端縁を直線状に融着させた解離具の使用によっても解離作業がより簡便になしえる。
更にその幅が広く且長さの長い解離具では、絡合される洗濯物の絡合束の外表面が広範囲に包被されることになるものの、適宜孔径の通水孔が全体面積の２５乃至７５％割合で穿孔形成されてなるため、洗浄水が容易に流水し洗浄効果も十分に発揮される。
【考案を実施するための最良の形態】
【００１０】  ポリエステルフィルム素材からなり、その厚さが１００μｍで幅が５０ｍｍ及び長さが５０ｃｍで且その両端縁を孤形状に切断してなる構造。
【実施例１】
【００１１】  以下に本考案実施例を図とともに詳細に説明すれば、図１は本考案の説明図であって本考案は洗濯物と共に洗濯機に混入し洗剤を溶解させた洗浄水で洗濯洗浄のうえ、洗濯物相互を容易に解離させて乾燥作業を簡便迅速になさしめるための解離具であるから、使用素材としては十分な強靭性は無論のこと疎水性はもとより比較的その表面接触抵抗の大きな洗濯物に対して十分な平滑性を発揮させて絡合を抑制させる表面滑性と、且吸水により十分な柔軟性を有し捩れや屈曲し易く、而も多様な寸法形状で著しく絡み易い洗濯物に対して捩れや屈曲に反揆し絡合し難い反揆弾性を保持し、更には洗濯に際して洗剤が溶解された洗浄水の回転、反転による複雑多方向への流動には、ある程度の流動対応しえる必要上から少なくともその比重が１．０以上の物が望まれる。【００１２】  かかる要件を具備する素材としては合成樹脂フィルム材１が挙げられるもので、当然に合成樹脂フィルム材としては疎水性や表面滑性は具備している。
反面反揆弾性や比重は素材毎によって大きな差異を有し、且反揆弾性はヤング率や若しくは破断強力／破断伸度によって推定できるもので、好ましい素材を挙げればポリエステルフィルム（比重１．３８〜１．４１、破断強力１４〜２４ｋｇ／ｍｍ２、破断伸度６０〜１５０％）、ポリカーボネートフィルム（比重１．２、破断強力５．９〜６．２ｋｇ／ｍｍ２、破断伸度８０〜１００％）、ポリイミドフィルム（比重１．４２、破断強力１７．６ｋｇ／ｍｍ２、破断伸度７０％）、ポリスチレンフィルム（比重１．０５、破断強力５．１〜８．４ｋｇ／ｍｍ２、破断伸度３〜４０％）が提案される。
更に反揆弾性にはやや劣るが、ポリアミドフィルム（比重１．１３、破断強度６．３〜１２．７ｋｇ／ｍｍ２、破断伸度２５０〜５５０％）、ポリ塩化ビニルフィルム（比重１．４、破断強力１．０〜３．９ｋｇ／ｍｍ２、破断伸度１５０〜５００％）、及びポリウレタンフィルム（比重１．２、破断強力３．５〜６．３ｋｇ／ｍｍ２、破断伸度４５０〜６５０％）も挙げられる。【００１３】  そして実用使用に際しては、洗濯機内において多量の洗濯物に混入され、洗浄水の回転反転による複雑多方向への流動に伴う洗濯物の絡合を抑制させるための反揆弾性を保持させるうえから、合成樹脂フィルム材１の厚さとしては少なくとも５０μｍ以上で且最大でも１５０μｍ以下に制約されることが望ましく、具体的厚さは選択される素材の硬度やヤング率等を勘案して決定される。
加えて該合成樹脂フィルム材１の幅は、洗濯により形成される洗濯物の絡合束の外周面に、その表面滑性を生かして緩やかに包被絡合させる若しくは絡合束内に挟入させるうえから、その幅は少なくとも４０ｍｍ以上が望まれるが、反面その幅が８０ｍｍを超えると、嵩張りと且つ折合されて絡合若しくは挟入される危険が生ずるため、最大でも８０ｍｍ以下が望まれる。
更に該合成樹脂フィルム材１の長さは、洗濯物の洗濯量によっても使い分けが望まれるもので、一般的洗濯機の洗濯容量は略４乃至９ｋｇとされている。従って通常その洗濯量が略４乃至６ｋｇ程度の場合では、その長さも略４０乃至６０ｃｍで且１乃至２本の使用で十分に対処でき、反面洗濯容量が多量に亘る場合にはその長さも略５０乃至８０ｃｍで且１乃至２本の使用や、別途複合形成の使用も提供される。【００１４】  かくして所要の合成樹脂フィルム材１が選択され、且所要の厚さと幅及び長さに形成させる場合において、洗濯物にはストッキング類や下着類特にはレースやフリル等の装飾が施された洗濯物では、洗濯時の強力な回転、反転で複雑多方向への流動に伴い強固な絡合束が形成されるものであるから、所要の幅や長さに形成された合成樹脂フィルム材１の切断部位即ち両端縁２．２に僅かな鋭角や突起が存在すると、解離時に洗濯物と絡着したり係絡したりして解離が阻害されたり洗濯物を損傷する結果となるため、該両端縁２．２は孤形状２Ａ、２Ａに形成させることが肝要である。
かかる如くして本考案解離具３は形成されるものであるが、該本考案解離具３は洗濯機内で洗濯物に混入されて使用され、洗濯物相互の解離を極めて簡便迅速になすものであるが、かかる解離に際しては本考案解離具３の絡合若しくは挟入状態が明確に判別されることが望ましいことから、適宜の色相に着色された合成樹脂フィルム材１の使用が好都合である。【００１５】  図２は本考案解離具３の洗濯機内の絡合状態の説明図であって、広範な素材と多様な寸法形状の洗濯物３０が洗濯機において洗剤の溶解された洗浄水の回転、反転に伴う複雑多方向への流動に伴って洗濯物３０相互が素材的にも且織成や編成に伴う表面接触抵抗の大きさに加えてその吸水による多重化と柔軟性の付加による捩れや屈曲性の増大により相互が著しく絡み易く、而も繰返し回転、反転の流動付加により強固な絡合状態となり解離が至難となるが、本考案解離具３が洗濯物３０に混入されて洗濯がなされると、図示する如く洗濯物３０相互間に挟入されたり、絡み初めた絡合束３０Ａを緩く包被した状態となり、且回転、反転による流動の変化でかかる洗濯物３０相互や絡合束３０Ａ相互にズレや滑りが生じて洗濯物３０相互が解離し、再度の流動の変化で別異の洗濯物３０相互間に挟入され若しくは絡合束３０Ａを緩く包被し、且これが再び解離することを繰返し、結果として洗濯物３０相互の解離を容易とすることとなる。【００１６】  図３は通水孔保持解離具３Ａの説明図であって、該通水孔保持解離具３Ａは、多量な洗濯物３０や大きな寸法形状の洗濯物３０に好適であって、当然にかかる通水孔保持解離具３Ａとしては、その厚さも略１００乃至１５０μｍ、幅も略５０乃至８０ｍｍ、及び長さとしては５０乃至８０ｃｍ程度が好適で、多量な洗濯物３０や大きな寸法形状の洗濯物３０の洗濯に際しては、洗濯物３０相互の間に成可く大きな接触面積で挟入させ、若しくは絡み初めた絡合束３０Ａを広い包被面積を以って緩やかに包被させることによる。しかしながら洗濯物３０相互の間に広い接触面積で挟入させ或いは絡合束３０Ａを広い包被面積で包被させることは洗濯物３０相互の解離性は高まるものの、洗濯の本来的目的たる汚れの洗浄には阻害要因となる。
これがため合成樹脂フィルム材１の全面に亘って適宜孔径の通水孔３１を均等に穿孔形成させてなるもので、該通水孔３１内には洗剤の溶解された洗浄水が容易に流通しえるよう、その孔径は少なくとも４ｍｍφ乃至８ｍｍφが望ましい。【００１７】  図４は本考案の他の態様図であって、図４のＡは交叉解離具３Ｂの説明図であって、所要の厚さと幅及び長さに形成された合成樹脂フィルム材１の２枚を、その一側端縁２．２を適宜の交叉角を以って融着３２させた構成のものであって、該交叉角は望ましくは略３０乃至６０度が好適である。
次いで図４のＢは直交解離具３Ｃの説明図であって、所要の厚さと幅及び長さに形成された合成樹脂フィルム材１Ａの２枚相互を、それぞれの中央部位で直交させたうえ融着３２させた構成からなるものであって、更に図４のＣは直線解離具３Ｄの説明図であって、該直線解離具３Ｄは合成樹脂フィルム材１Ａの２枚を、その一側端縁２．２を直線状に接合させ融着３２させてなる構成からなるものである。【００１８】  かかる交叉解離具３Ｂや直交解離具３Ｃ或いは直線解離具３Ｄ等は、洗濯物３０が多量な場合や寸法形状の大きな洗濯物３０の場合に、一般的な洗濯物３０の洗濯量が略４乃至６ｋｇ程度では本考案解離具３や通水孔保持解離具３Ａは１本の使用で十分であるが、洗濯量が６ｋｇ以上に亘る場合には２本程度の使用がより好適であるが、かかる場合に該交叉解離具３Ｂや直交解離具３Ｃ或いは直線解離具３Ｄの使用でも十分に対処できる。
【産業上の利用可能性】
【００１９】  洗濯機における洗濯物に混入して洗濯すれば良い。
【図面の簡単な説明】
【００２０】
【図１】  本考案の説明図である。
【図２】  洗濯機内の絡合状態の説明図である。
【図３】  通水孔保持解離具の説明図である。
【図４】  本考案の他の態様図である。
【符号の説明】
【００２１】  １    合成樹脂フィルム材
２    両端縁
２Ａ  孤形状
３    本考案解離具
３Ａ  通水孔保持解離具
３Ｂ  交叉解離具
３Ｃ  直交解離具
３Ｄ  直線解離具
３０    洗濯物
３０Ａ  絡合束
３１    通水孔
３２    融着
【図１】
0003156627.tif 000003
【図２】
0003156627.tif 000004
【図３】
0003156627.tif 000005
【図４】
0003156627.tif 000006